(57)【要約】【課題】既設の柵塀等に簡単に取付けることができ、しかも外観を良好なものとした防犯機能を付与する忍返ユニット並びに忍返ユニットの取付方法を提供する。【解決手段】所定の長さを有し、フェンスＦの上面に取付けられる取付基部１１と、該取付基部１１から上方に向けて突設した忍返部１２をアルミニウム製形材によって一体形成し、該取付基部１１に所定間隔をおいて透孔１３を形成すると共に取付基部１１の下面に長手方向に渡って係合溝１１３を形成し、透孔５２と前記係合溝１１３に係合する係合縁部５１を形成し且つ係合溝１１３に沿って移動自在としたスペーサー５を備えた忍返ユニット１を構成し、取付基部１１の透孔１３とスペーサー５の透孔５２を合致させて両透孔１３，５２を挿通するドリル螺子２によって忍返ユニット１をフェンスＦの上面に取付け、スペーサー５によって形成された取付基部１１とフェンスＦの空間部に段差部を位置させる。【選択図】        図５
2004353287.tif 000002
【特許請求の範囲】
【請求項１】
所定の長さを有し、柵塀等の上面に取付けられる取付基部と、該取付基部から上方に向けて突設した忍返部をアルミニウム製形材によって一体形成したことを特徴とする忍返ユニット。
【請求項２】
所定の長さを有し、柵塀等の上面に取付けられる取付基部と、該取付基部から上方に向けて突設した忍返部をアルミニウム製形材によって一体形成し、取付基部の一側縁に下方に向けて垂下する位置決垂直縁部を形成したことを特徴とする忍返ユニット。
【請求項３】
所定の長さを有し、柵塀等の上面に取付けられる取付基部と、該取付基部から上方に向けて突設した忍返部をアルミニウム製形材によって一体形成し、取付基部の下面にスペーサーを備えたことを特徴とする忍返ユニット。
【請求項４】
所定の長さを有し、柵塀等の上面に取付けられる取付基部と、該取付基部から上方に向けて突設した忍返部をアルミニウム製形材によって一体形成し、取付基部の下面に長手方向に渡って係合溝を形成し、該係合溝と係合する係合縁部を有し且つ係合溝に沿って移動自在としたスペーサーを備えたことを特徴とする忍返ユニット。
【請求項５】
スペーサーの一側縁に下方に向けて垂下する位置決垂直縁部を形成したことを特徴とする請求項３または４に記載の忍返ユニット。
【請求項６】
所定の長さを有し、柵塀等の上面に取付けられる取付基部と、該取付基部から上方に向けて突設した忍返部をアルミニウム製形材によって一体形成し、取付基部の下面に段差部を吸収する合成樹脂層を設けたことを特徴とする忍返ユニット。
【請求項７】
所定の長さを有し、柵塀等の上面に取付けられる取付基部と、該取付基部から上方に向けて突設した忍返部をアルミニウム製形材によって一体形成し、該取付基部に所定間隔をおいて透孔を形成すると共に取付基部の下面に長手方向に渡って係合溝を形成し、透孔と前記係合溝に係合する係合縁部を形成し且つ係合溝に沿って移動自在としたスペーサーを備えた忍返ユニットを構成し、取付基部の透孔とスペーサーの透孔を合致させて両透孔を挿通するドリル螺子によって忍返ユニットを柵塀等の上面に取付け、スペーサーによって形成された取付基部と柵塀等の空間部に段差部を位置させたことを特徴とする忍返ユニットの取付方法。
【発明の詳細な説明】
【０００１】
【発明の属する技術分野】
この発明は、人等が敷地内に侵入するのを阻止するのに有効であり、既設の柵・塀等の上面に簡単に取付けることのできる忍返ユニット並びに忍返ユニットの取付方法に関するものである。
【０００２】
【従来の技術】
従来、防犯上の目的から柵・塀等の上部に先細り状の剣先等を備えた忍返（しのびがえし）を設けたものがあるが、大体の場合、柵・塀等と一体的に忍返が形成されているか、あるいは柵・塀等と一体的構造となるように、柵・塀等の施工の際に同時に取付けたものである。
【０００３】
特許文献１には、プレス加工された板状体により形成された忍び返し用の楔が開示されているが、この楔を柵・塀等の上部に連続して配置する場合には、連結杆を用いて隣接する楔を連結しなければならず、楔を連結する工程を必要とするものであった。また、柵・塀等を構築した長手方向と交差する方向に板状体が配置されるため、柵・塀等の連続した外観とは逆に分断された外観を呈し、柵・塀等の外観を悪化させるものであった。
【０００４】
特許文献２には、アルミニウム材又は合成樹脂の押出成型により造られたブロック塀用笠木が示されており、連続感のある笠木を構築することができる。そして、このブロック塀用笠木には、予めブロック塀の上面に固定した取付け金具の平板が係合する係合溝と、忍返が取付けられる突条が一体的に形成されており、断面倒立Ｔ字形の忍返の水平部が突条に係合するものである。
【０００５】
特許文献２に記載された従来技術においては、単に忍返をブロック塀の上面に形成する場合であっても、取付け金具と笠木を必要とするものであり、コスト高を招くものであった。さらに、笠木は両側に傾斜部を備えた山形状を呈し、大型化を免れないものであり、幅の小さい金属製フェンスの上端に設けるには不向きなものであった。
【０００６】
【特許文献１】
実開平６−７９９７０号公報
【特許文献２】
実公昭５７−２５９５７号公報
【０００７】
【発明が解決しようとする課題】
この発明の目的は、既設の柵・塀等に簡単に取付けることができ、しかも外観を良好なものとした防犯機能を付与する忍返ユニット並びに忍返ユニットの取付方法を提供することにある。
【０００８】
【課題を解決するための手段】
本発明者等は、このような事情に鑑み鋭意検討を重ねた結果、所定の長さを有し、柵塀等の上面に取付けられる取付基部と、該取付基部から上方に向けて突設した忍返部をアルミニウム製形材によって一体形成したことによって、所期の目的を達成したものである。
【０００９】
さらに本発明忍返ユニットは、所定の長さを有し、柵塀等の上面に取付けられる取付基部と、該取付基部から上方に向けて突設した忍返部をアルミニウム製形材によって一体形成し、取付基部の一側縁に下方に向けて垂下する位置決垂直縁部を形成したものであり、位置決垂直縁部を柵塀等の端面に宛がうことにより、簡単に忍返ユニットの取付位置を定めることができる。
【００１０】
本発明忍返ユニットは、所定の長さを有し、柵塀等の上面に取付けられる取付基部と、該取付基部から上方に向けて突設した忍返部をアルミニウム製形材によって一体形成し、取付基部の下面にスペーサーを備えたものであり、柵塀等の上面に突出する段差部が存在しても、スペーサーの高さの範囲内であれば、段差部の上方位置を忍返ユニットが通過するので、忍返ユニットを直線状に設けることができる。
【００１１】
本発明忍返ユニットは、所定の長さを有し、柵塀等の上面に取付けられる取付基部と、該取付基部から上方に向けて突設した忍返部をアルミニウム製形材によって一体形成し、取付基部の下面に長手方向に渡って係合溝を形成し、該係合溝と係合する係合縁部を有し且つ係合溝に沿って移動自在としたスペーサーを備えたものであり、柵塀等の上面に段差部が存在しても忍返ユニットを直線状に設けることができると共に、係合溝に沿ってスペーサーをスライドさせることにより、スペーサーの位置調整を簡単に行うことができる。
【００１２】
本発明忍返ユニットは、スペーサーの一側縁に下方に向けて垂下する位置決垂直縁部を形成したものであり、位置決垂直縁部を柵塀等の端面に宛がうことにより、忍返ユニットの取付位置を簡単に定めることができる。
【００１３】
本発明忍返ユニットは、所定の長さを有し、柵塀等の上面に取付けられる取付基部と、該取付基部から上方に向けて突設した忍返部をアルミニウム製形材によって一体形成し、取付基部の下面に段差部を吸収する合成樹脂層を設けたものであり、柵塀等の上面に段差部が存在しても、合成樹脂層により段差部の突出量を吸収することができ、忍返ユニットを直線状に設けることができる。
【００１４】
本発明忍返ユニットの取付方法は、所定の長さを有し、柵塀等の上面に取付けられる取付基部と、該取付基部から上方に向けて突設した忍返部をアルミニウム製形材によって一体形成し、該取付基部に所定間隔をおいて透孔を形成すると共に取付基部の下面に長手方向に渡って係合溝を形成し、透孔と前記係合溝に係合する係合縁部を形成し且つ係合溝に沿って移動自在としたスペーサーを備えた忍返ユニットを構成し、取付基部の透孔とスペーサーの透孔を合致させて両透孔を挿通するドリル螺子によって忍返ユニットを柵塀等の上面に取付け、スペーサーによって形成された取付基部と柵塀等の空間部に段差部を位置させたものであり、直線状に連続する忍返ユニットを所定の位置に簡単に設けることができる。
【００１５】
【作用】
この発明によれば、柵塀等の被着部に取付けられる取付基部と、該取付基部から上方に向けて突設した忍返部をアルミニウム製形材によって一体形成して忍返ユニットを形成しているので、安価で且つ連続感のある忍返を形成することができる。
【００１６】
近時、多くのフェンスはアルミニウム製形材を加工して形成されたものであり、このようなフェンスに取付ける忍返ユニットを同じアルミニウム製形材によって形成することにより、素材表面の風合いが統一され、外観を良好なものとすることができる。
【００１７】
【発明の実施の形態】
以下、本発明の実施の形態として実施例を図面に基づいて説明する。
図１ないし１２は本発明忍返ユニット並びに忍返ユニットの取付方法の実施例であり、図中１は忍返ユニットを表わし、忍返ユニット１は塀ＨあるいはフェンスＦの上面に取付けて使用される。忍返ユニット１は、塀Ｈ、フェンスＦ等に取り付けられる取付基部１１と、上方に向けて突設した忍返部１２とがアルミニウム製形材によって一体的に形成されている。
忍返ユニット１の加工手順としては、まず、図２（Ａ）に正面図と側面図を示すアルミニウム製押出し形材を形成し、次にこのアルミニウム製押出し形材の忍返部１２をプレス加工によって、（Ｂ）に正面図と側面図を示す形状に加工したものである。なお、忍返部１２の形状は、図３（Ａ）〜（Ｆ）に示すとおり種々の形状を採用することができる。
【００１８】
図１は、本発明忍返ユニットの第一実施例を表わす。
忍返ユニット１の取付基部１１の一側縁には位置決垂直縁部１１１が形成され、位置決垂直縁部１１１を塀Ｈの側面に宛がって、忍返ユニット１の位置決めを行っている。
上面に突起物が無い平坦な塀Ｈ等に取付ける場合は、忍返ユニット１の取付面部１１２に形成した透孔１３にドリル螺子２を挿入して塀Ｈ等の上面に忍返ユニット１が取付られる。なお、透孔１３は図４に示すとおり、予め複数箇所に穿設しておき、任意の透孔１３を選択してドリル螺子２を挿通するもの（Ａ）と、忍返ユニット１を固着するために最低必要となる取付位置（３箇所）のみに穿設したもの（Ｂ）と、長孔状として長孔の範囲内で取付位置を調整するもの（Ｃ）等とすることができる。また、施工現場において、透孔１３の開いていない部分に、ドリル等を用いて新たな透孔１３を穿設することも可能である。
【００１９】
次にフェンスＦの上面に取付ける場合について説明する。
通常フェンスＦは、フェンスパネル体３とパネル体３を支持する支柱４とから構成されている。支柱４はパネル体３の間に配置される所謂間柱タイプと称呼されるものと、支柱４をパネル体３の一側面側に配置した所謂自由支柱タイプと称呼されるものに大別される。間柱タイプでは、パネル体３を支柱４に連結するため、パネル体３の上面より支柱４の上面が高位置となる。一方、自由支柱タイプでは、支柱４とパネル体３を連結する連結ブラケットがパネル体３の上面に配置される。よって、フェンスＦの上面は、支柱４若しくは連結ブラケットＢにより段差部Ｄが生じる。段差部Ｄが存在する場合、直に忍返ユニット１をフェンスＦの上面に取付けたのでは、段差部Ｄによって忍返ユニット１が傾いて取付けられる。若しくは、段差部Ｄを避けて取付けなければならない。そこで図５に示したとおり、忍返ユニット１の取付基部１１の下面に係合溝１１３を形成し、この係合溝１１３と係合する係合縁部５１を両側に形成したスペーサー５を係合溝１１３の長手方向に沿ってスライド自在としている。
【００２０】
図９に示したとおり、スペーサー５は、一つの忍返ユニット１に対して２〜３個程度設けられ、段差部Ｄを避けるよう、忍返ユニット１に対して適当な位置に移動させて使用される。スペーサー５には長孔状の透孔５２（図８参照）が設けられており、スペーサー５をスライドさせて、透孔５２と忍返ユニット１の透孔１３との位置を合わせ、そこにドリル螺子２を挿入し、フェンスＦの上面に忍返ユニット１がスペーサー５を介して固着される。
【００２１】
スペーサー５の一側縁には位置決垂直縁部５３が形成され、この位置決垂直縁部５３をフェンスＦの上面角部に宛がって、忍返ユニット１の位置決が行われる。忍返ユニット１は、スペーサー５の高さ分だけフェンスＦの上面から浮き上がった位置となり、段差部Ｄの上方位置を通過して配設される。なお、スペーサー５は、忍返ユニット１と同様にアルミニウム製形材によって形成され、これを所定の長さに切断して使用される。また、スペーサー５の高さは、段差部Ｄの突出量に合わせて、高さの異なるものを複数用意しておくことも可能である。
【００２２】
図６に示したフェンスＦが間柱タイプの支柱４を使用したものであり、図７に示したフェンスＦが自由支柱タイプの支柱４を使用したものである。なお、スペーサー５に位置決垂直縁部５３を形成したが、これは無くても構わない。また、スペーサー５を忍返ユニット１の長手方向にスライド自在としているが、スペーサー５に係止突起を設け、係合溝１１３に係止突起を係合する構成としても構わない。
【００２３】
次に図１０に示すのは、本発明の第二実施例であり、第一実施例と異なり位置決垂直縁部１１１が形成されておらず、塀Ｈの中心付近に忍返ユニット１を配置することができる。なお、第一実施例と同じ部分については、同一符号を用い、その説明は省略する。
【００２４】
図１１，１２に示したのは本発明の第三実施例であり、第一実施例に示したスペーサー５の代りに変形可能な合成樹脂層６を忍返ユニット１の下部全域にわたって設けたものである。第三実施例においても、第一実施例と同じ部分については、同一符号を用い、その説明は省略する。
第三実施例によれば、段差部Ｄが突出しているフェンスＦ等の上面に、そのまま合成樹脂層６を介して忍返ユニット１を取り付けることにより、段差部Ｄが突出する位置においては、合成樹脂層６が段差部Ｄの高低差分だけ吸収変形し、忍返ユニット１が傾くことなくフェンスＦの上面と平行に取付けることができる。
【００２５】
第三実施例によれば、合成樹脂層６が忍返ユニット１の全域に設けられているので、第１実施例のようにスペーサー５の位置合わせを行う必要が無く、また、段差部Ｄが存在しない部分においては、忍返ユニット１の下面とフェンスＦ上面との間に合成樹脂層６が充填されているので、隙間が発生せず、外観を良好なものとすることができる。
【００２６】
以上の実施例において、忍返ユニット１は、所定の長さに形成されており、その長さは任意であるが、取付作業効率並びに施工時の扱い易さ等を考えると、その長さは約２ｍが適当である。隣接する忍返ユニット１は、端部同士を突き合わせておくだけでも構わないが、連結プレートを用いて、隣接する忍返ユニット１の端部同士を連結しても構わない。忍返ユニット１は塀Ｈ、フェンスＦの上面に取付けたが、門扉、バルコニーの手摺等の上面に設けても構わない。
【００２７】
【発明の効果】
本発明忍返ユニット並びに忍返ユニットの取付方法によれば、既設の柵塀等に忍返を簡単且つ安価に形成することができ、外観も良好なものとすることができる等実施上の効果は多大である。
【図面の簡単な説明】
【図１】本発明忍返ユニットを塀に取付けた状態を表わす側面図
【図２】本発明忍返ユニットの加工手順を表わす説明図
【図３】本発明忍返ユニットにおける忍返部の他の形状を表わした正面図
【図４】本発明忍返ユニットにおける透孔の位置、形状を表わす説明図
【図５】本発明忍返ユニットをフェンスに取付けた状態を表わす側面図
【図６】本発明忍返ユニットと支柱との位置関係を表わす説明図
【図７】本発明忍返ユニットと連結ブラケットとの位置関係を表わす説明図
【図８】本発明忍返ユニットのスペーサーの全体斜視図
【図９】本発明忍返ユニットをフェンスに取付けた状態を表わす正面図
【図１０】第二実施例における忍返ユニットの取付状態を表わす側面図
【図１１】第三実施例における忍返ユニットの取付状態を表わす側面図
【図１２】第三実施例における忍返ユニットの支柱との位置関係を表わす説明図
【符号の説明】
１      忍返ユニット
２      ドリル螺子
５      スペーサー
６      合成樹脂層
１１      取付基部
１２      忍返部
１３      透孔
５１      係合縁部
５２      透孔
５３      位置決垂直縁部
１１１      位置決垂直縁部
１１３      係合溝
Ｄ      段差部
Ｆ      フェンス
Ｈ      塀
【図１】
2004353287.tif 000003
【図２】
2004353287.tif 000004
【図３】
2004353287.tif 000005
【図４】
2004353287.tif 000006
【図５】
2004353287.tif 000007
【図６】
2004353287.tif 000008
【図７】
2004353287.tif 000009
【図８】
2004353287.tif 000010
【図９】
2004353287.tif 000011
【図１０】
2004353287.tif 000012
【図１１】
2004353287.tif 000013
【図１２】
2004353287.tif 000014